(57)【特許請求の範囲】
【請求項１】
前面部１を開口した四角状の移動枠体２に数段に亘り抽き出し体３，３・・・を設け、且つ四角状の移動枠体２の一方の前面垂直縁４の上下に着脱自在に取付体５，５を設け、該取付体５，５には前方に突出すると共に挿通軸孔６，６を設けた突出板片７，７と前面垂直縁４に着脱自在に取付けた取付板片８，８を設け、更に縦長コ字状杆９の上下に設けた横杆１０，１０の先端に前記突出板片７，７に設けた挿通軸孔６，６に挿通する挿通杆１１，１１を下方に折曲して設け、又更に横杆１０，１０に挿通杆１１，１１より間隙を設けて突出板片７，７の両側端縁１２，１２、１２，１２に当接すると共に挿通杆１１，１１よりも短くした回動阻止杆１３，１３を設け、又挿通杆１１に回動阻止杆１３，１３が両側端縁１２，１２、１２，１２に当接せず縦長コ字状杆９を回動することができる位置まで上昇させることができる上昇阻止部材１４を設け、且又縦長コ字状杆９は突出板片７，７の一方の両側端縁１２，１２に回動阻止杆１３，１３が当接している際は四角状の移動枠体２に設けた抽き出し体３，３・・・の前面に位置し、突出板片７，７の他方の両側端縁１２，１２に回動阻止杆１３，１３が当接している際は四角状の移動枠体２に設けた抽き出し体３，３・・・の前面に位置しないように形成したことを特徴とする医療用移動車等に於ける抽き出し体の抜け止め装置。
【発明の詳細な説明】
【０００１】
【産業上の利用分野】
この発明は、移動中等に抽き出しが妄りに引き出されることを防止する医療用移動車等に於ける抽き出し体の抜け止め装置に関するものである。
【０００２】
【従来の技術】
従来医療用移動車等に於いて多段に亘り抽き出しを設け、収納品を収納して移動するようにしたものは知られている。
【０００３】
【発明が解決しようとする問題点】
ところで従来のものは何等かの作動で抽き出しが妄りに引き出されて収納品を安定よく移動することができない等の欠点があった。
【０００４】
この発明は上記の問題点を解決したものであり、安全に移動することができると共に抽き出しの抜け止め操作又は抜け止めの解除を簡単に行うことができる医療用移動車等に於ける抽き出し体の抜け止め装置を得ることを目的としたものである。
【０００５】
【問題点を解決するための手段】
上記の目的を達成するためのこの発明は、前面部１を開口した四角状の移動枠体２に数段に亘り抽き出し体３，３・・・を設け、且つ四角状の移動枠体２の一方の前面垂直縁４の上下に着脱自在に取付体５，５を設け、該取付体５，５には前方に突出すると共に挿通軸孔６，６を設けた突出板片７，７と前面垂直縁４に着脱自在に取付けた取付板片８，８を設け、更に縦長コ字状杆９の上下に設けた横杆１０，１０の先端に前記突出板片７，７に設けた挿通軸孔６，６に挿通する挿通杆１１，１１を下方に折曲して設け、又更に横杆１０，１０に挿通杆１１，１１より間隙を設けて突出板片７，７の両側端縁１２，１２、１２，１２に当接すると共に挿通杆１１，１１よりも短くした回動阻止杆１３，１３を設け、又挿通杆１１に回動阻止杆１３，１３が両側端縁１２，１２、１２，１２に当接せず縦長コ字状杆９を回動することができる位置まで上昇させることができる上昇阻止部材１４を設け、且又縦長コ字状杆９は突出板片７，７の一方の両側端縁１２，１２に回動阻止杆１３，１３が当接している際は四角状の移動枠体２に設けた抽き出し体３，３・・・の前面に位置し、突出板片７，７の他方の両側端縁１２，１２に回動阻止杆１３，１３が当接している際は四角状の移動枠体２に設けた抽き出し体３，３・・・の前面に位置しないように形成したものである。
【０００６】
【実施例】
以下図面についてこの発明の実施例を説明すると、
前面部１を開口した四角状の移動枠体２に数段に亘り抽き出し体３，３・・・を設け、且つ四角状の移動枠体２の一方の前面垂直縁４の上下に着脱自在に取付体５，５を設け、該取付体５，５には前方に突出すると共に挿通軸孔６，６を設けた突出板片７，７と前面垂直縁４に着脱自在に取付けた取付板片８，８を設け、更に縦長コ字状杆９の上下に設けた横杆１０，１０の先端に前記突出板片７，７に設けた挿通軸孔６，６に挿通する挿通杆１１，１１を下方に折曲して設け、又更に横杆１０，１０に挿通杆１１，１１より間隙を設けて突出板片７，７の両側端縁１２，１２、１２，１２に当接すると共に挿通杆１１，１１よりも短くした回動阻止杆１３，１３を設け、又挿通杆１１に回動阻止杆１３，１３が両側端縁１２，１２、１２，１２に当接せず縦長コ字状杆９を回動することができる位置まで上昇させることができる上昇阻止部材１４を設け、且又縦長コ字状杆９は突出板片７，７の一方の両側端縁１２，１２に回動阻止杆１３，１３が当接している際は四角状の移動枠体２に設けた抽き出し体３，３・・・の前面に位置し、突出板片７，７の他方の両側端縁１２，１２に回動阻止杆１３，１３が当接している際は四角状の移動枠体２に設けた抽き出し体３，３・・・の前面に位置しないように形成したものである。
【０００７】
又上昇阻止部材１４の形成は、下方の挿通軸孔６に挿通する挿通杆１１の先端に螺合部１６を設けると共に該螺合部１６に外嵌する座金１５と螺合するナット１７を設けて縦長コ字状杆９が取付体５，５より離脱しないように形成したものであり、又縦長コ字状杆９を取付体５，５より離脱する際は図５に図示したように螺合部１６より座金１５とナット１７を外して離脱することができるものである。
【０００８】
又取付体５，５には取付孔１８，１８・・・を設けて取付体５，５を取付孔１８，１８・・・に挿入する螺子部材１９，１９・・・を介して四角状の移動枠体２の一方の前面垂直縁４に着脱自在に取付けることができるものである。
【０００９】
又回動阻止杆１３，１３の先端部２０，２０は縦長コ字状杆９を回動移動する際は突出板片７，７の上面を移動して縦長コ字状杆９の回動移動を円滑にできるようにしたものである。
【００１０】
又横杆１０，１０には折曲部２１，２１を設けて図８に図示したように抜け止め作動時には縦長コ字状杆９が四角状の移動枠体２の前面部１に近接した位置になるようにして抽き出し体３，３・・・の抜け止めを確実とし、又非抜け止め作動時は図９に図示したように移動枠体２の外方に位置して抽き出し体３の引き出しが縦長コ字状杆９に邪魔されることなくできるようにしたものである。
【００１１】
又四角状の移動枠体２の底部にはキャスター２２，２２，２２，２２を設けると共に側面に把持杆部２３を設けて四角状の移動枠体２の移動が容易にできるようにしたものである。
【００１２】
【発明の作用効果】
この発明は上述のような構成であり、前面部１を開口した四角状の移動枠体２に数段に亘り抽き出し体３，３・・・を設けたことによって抽き出し体３，３・・・内に医療器具等の収納品を収納保管することができると共に四角状の移動枠体２を移動して必要な位置で抽き出し体３，３・・・を引き出して収納品を取出すことができるものである。
【００１３】
又四角状の移動枠体２の一方の前面垂直縁４の上下に着脱自在に取付体５，５を設け、該取付体５，５には前方に突出すると共に挿通軸孔６，６を設けた突出板片７，７と前面垂直縁４に着脱自在に取付けた取付板片８，８を設け、且つ縦長コ字状杆９の上下に設けた横杆１０，１０の先端に前記突出板片７，７に設けた挿通軸孔６，６に挿通する挿通杆１１，１１を下方に折曲して設け、且又横杆１０，１０に挿通杆１１，１１より間隙を設けて突出板片７，７の両側端縁１２，１２、１２，１２に当接すると共に挿通杆１１，１１よりも短くした回動阻止杆１３，１３を設けたことによって縦長コ字状杆９は挿通軸孔６，６に挿通した挿通杆１１，１１を支軸として回動することができ、更に回動阻止杆１３，１３が突出板片７，７の両側端縁１２，１２、１２，１２に当接時は回動を阻止して縦長コ字状杆９が妄りに揺動することがなく安定よく使用できるものである。
【００１４】
又挿通杆１１，１１に回動阻止杆１３，１３が両側端縁１２，１２、１２，１２に当接せず縦長コ字状杆９を回動することができる位置まで上昇させることができる上昇阻止部材１４を設けたことによって、縦長コ字状杆９の回動は縦長コ字状杆９を把持して持上げ回動することで左右移動が容易であると共に上昇阻止部材１４によって縦長コ字状杆９が妄りに離脱することがなく使用上極めて便利であり、更に縦長コ字状杆９は突出板片７，７の一方の両側端縁１２，１２に回動阻止杆１３，１３が当接している際は四角状枠体２に設けた抽き出し体３，３・・・の前面に位置し、突出板片７，７の他方の両側端縁１２，１２に回動阻止杆１３，１３が当接している際は四角状枠体２に設けた抽き出し体３，３・・・の前面に位置しないように形成したことによって縦長コ字状杆９の左右回動のみで抽き出し体３，３・・・の引き出しの阻止、解除を簡便に行うことができて使用上極めて好都合である。
【００１５】
以上のようにこの発明は幾多の産業的作用効果を有するものである。
【図面の簡単な説明】
【図１】斜視図である。
【図２】要部の一部切欠斜視図である。
【図３】係止状態を示した要部の一部切欠斜視図である。
【図４】非係止状態を示した要部の一部切欠斜視図である。
【図５】要部の一部切欠分解斜視図である。
【図６】要部の一部切欠正面図である。
【図７】要部の一部切欠側面図である。
【図８】係止状態を示した一部切欠上面図である。
【図９】非係止状態を示した一部切欠上面図である。
【符号の説明】
１  前面部
２  移動枠体
３  抽き出し体
４  前面垂直縁
５  取付体
６  挿通軸孔
７  突出板片
８  取付板片
９  縦長コ字状杆
１０  横杆
１１  挿通杆
１２  両側端縁
１３  回動阻止杆
１４  上昇阻止部材
１５  座金
１６  螺合部
１７  ナット
１８  取付孔
１９  螺子部材
２０  先端部
２１  折曲部
２２  キャスター
２３  把持杆部
【図１】
0003944249.tif 000002
【図２】
0003944249.tif 000003
【図３】
0003944249.tif 000004
【図４】
0003944249.tif 000005
【図５】
0003944249.tif 000006
【図６】
0003944249.tif 000007
【図７】
0003944249.tif 000008
【図８】
0003944249.tif 000009
【図９】
0003944249.tif 000010